【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
親水性内側層と、
前記親水性内側層に隣接して対向する表面を有し、０．０００６Ｎ／ｃｍ（１センチメートル当たり６０ダイン）未満の見かけ表面エネルギーを有する疎水性外側層と、
前記対向する表面の１つに配置される硬化性キャスティング材と
を備える、整形キャストシステム。
【請求項２】
親水性内側層と、
前記親水性内側層に隣接して対向する表面を有し、０．０００６Ｎ／ｃｍ（１センチメートル当たり６０ダイン）未満の見かけ表面エネルギーを有する疎水性外側層と
を備える、整形キャストキット。
【手続補正２】
【補正対象書類名】明細書
【補正対象項目名】００６４
【補正方法】変更
【補正の内容】
【００６４】
本出願では、以下の態様が提供される。
１．  親水性内側層と、前記親水性内側層に隣接して対向する表面を有し、約０．０００６Ｎ／ｃｍ（１センチメートル当たり６０ダイン）未満の見かけ表面エネルギーを有する疎水性外側層と、前記対向する表面の１つに配置される硬化性キャスティング材とを備える、整形キャストシステム。
２．  前記親水性層が、約０．０００６Ｎ／ｃｍ（１センチメートル当たり６０ダイン）を超える見かけ表面エネルギーを有する、態様１に記載の整形キャストシステム。
３．  前記親水性層が、約０．０００７Ｎ／ｃｍ（１センチメートル当たり７０ダイン）を超える見かけ表面エネルギーを有する、態様１に記載の整形キャストシステム。
４．  前記親水性層が、織布、不織布、編物布地又は連続気泡発泡体を含む群から選択される、態様１に記載の整形キャストシステム。
５．  前記親水性層にフィルムを使用しない、態様１に記載の整形キャストシステム。
６．  前記親水性層が、複合構造体である、態様１に記載の整形キャストシステム。
７．  前記親水性層が、約６０秒未満の多孔性を有する、態様１に記載の整形キャストシステム。
８．  前記親水性層が、約１５秒未満の多孔性を有する、態様１に記載の整形キャストシステム。
９．  前記親水性層が、１平方メートル当たり４００グラム未満の坪量を有する、態様１に記載の整形キャストシステム。
１０．  前記親水性層が、１平方メートル当たり少なくとも１００グラムの坪量を有する、態様１に記載の整形キャストシステム。
１１．  前記親水性層が、エラストマーの不連続コーティングを有する、態様１に記載の整形キャストシステム。
１２．  前記コーティングが、１．０を超える静的摩擦係数を有する、態様１１に記載の整形キャストシステム。
１３．  前記疎水性層が、撥水性パディングを含む、態様１に記載の整形キャストシステム。
１４．  前記親水性層が、綿、ポリエステル、ナイロン、アクリル、若しくはレーヨン繊維、又は連続気泡発泡体を含む材料である、態様１３に記載の整形キャストシステム。
１５．  前記材料が疎水性に処理される、態様１に記載の整形キャストシステム。
１６．  前記材料が、本質的に疎水性である、態様１に記載の整形キャストシステム。
１７．  前記疎水性層が、１平方メートル当たり少なくとも４０グラムの坪量を有する、態様１に記載の整形キャストシステム。
１８．  前記疎水性層が、約０．０００５Ｎ／ｃｍ（１センチメートル当たり５０ダイン）未満の見かけ表面エネルギーを有する、態様１に記載の整形キャストシステム。
１９．  前記疎水性層が、約０．０００４Ｎ／ｃｍ（１センチメートル当たり４０ダイン）未満の見かけ表面エネルギーを有する、態様１に記載の整形キャストシステム。
２０．  前記疎水性層が、実質的な化合物で処理されている、態様１に記載の整形キャストシステム。
２１．  前記実質的な化合物が、フッ素性化学物質、シリコーン、又は炭化水素から成る群から選択される、態様２０に記載の整形キャストシステム。
２２．  前記疎水性層が、本質的に疎水性繊維から製作されている、態様１に記載の整形キャストシステム。
２３．  前記実質的な化合物が、疎水性層の０．２５〜２．５重量％の量で存在する、態様２０に記載の整形キャストシステム。
２４．  前記実質的な化合物が、皮膚に対して刺激がない、態様２０に記載の整形キャストシステム。
２５．  前記疎水性層が、約１５秒未満の多孔性を有する、態様１に記載の整形キャストシステム。
２６．  前記疎水性層が、約１０秒未満の多孔性を有する、態様１に記載の整形キャストシステム。
２７．  前記硬化性キャスティング材が、硬化させる化合物が浸透したウェブを含む、態様１に記載の整形キャストシステム。
２８．  前記硬化化合物が、硬化ポリウレタンである、態様２７に記載の整形キャストシステム。
２９．  前記硬化化合物が、焼石膏である、態様２７に記載の整形キャストシステム。
３０．  親水性内側層と、約０．０００６Ｎ／ｃｍ（１センチメートル当たり６０ダイン）未満の見かけ表面エネルギーを有する前記親水性層に隣接して対向する表面を有する疎水性外側層とを含むキャストパディングシステムを適用し、前記キャストパディングシステムの前記対向する表面の１つに硬化性キャスティング材を適用し、前記硬化性キャスティング材を硬化させる身体部分を固定する方法。
３１．  前記親水性層が、約０．０００６Ｎ／ｃｍ（１センチメートル当たり６０ダイン）を超える見かけ表面エネルギーを有する、態様３０に記載の身体部分を固定する方法。
３２．  前記親水性層が、約０．０００７Ｎ／ｃｍ（１センチメートル当たり７０ダイン）を超える見かけ表面エネルギーを有する、態様３０に記載の身体部分を固定する方法。
３３．  前記親水性層が、織布、不織布、編物布地又は連続気泡発泡体を含む群から選択される、態様３０に記載の身体部分を固定する方法。
３４．  前記親水性層にフィルムを使用しない、態様３０に記載の身体部分を固定する方法。
３５．  前記親水性層が、複合構造体である、態様３０に記載の身体部分を固定する方法。
３６．  前記親水性層が、約６０秒未満の多孔性を有する、態様３０に記載の身体部分を固定する方法。
３７．  前記親水性層が、約１５秒未満の多孔性を有する、態様３０に記載の身体部分を固定する方法。
３８．  前記親水性層が、１平方メートル当たり４００グラム未満の坪量を有する、態様３０に記載の身体部分を固定する方法。
３９．  前記親水性層が、１平方メートル当たり少なくとも１００グラム未満の坪量を有する、態様３０に記載の身体部分を固定する方法。
４０．  前記親水性層が、エラストマーの不連続コーティングを有する、態様３０に記載の身体部分を固定する方法。
４１．  前記コーティングが、１．０を超える静的摩擦係数を有する、態様４０に記載の身体部分を固定する方法。
４２．  前記疎水性層が、撥水性パディングを含む、態様３０に記載の身体部分を固定する方法。
４３．  前記親水性層が、綿、ポリエステル、ナイロン、アクリル、若しくはレーヨン繊維、又は連続気泡発泡体を含む群から選択される、態様３０に記載の身体部分を固定する方法。
４４．  前記材料が疎水性に処理される、態様３０に記載の身体部分を固定する方法。
４５．  前記材料が、本質的に疎水性である、態様３０に記載の身体部分を固定する方法。
４６．  前記疎水性層が、１平方メートル当たり少なくとも４０グラムの坪量を有する、態様３０に記載の身体部分を固定する方法。
４７．  前記疎水性層が、約０．０００５Ｎ／ｃｍ（１センチメートル当たり５０ダイン）未満の見かけ表面エネルギーを有する、態様３０に記載の身体部分を固定する方法。
４８．  前記疎水性層が、約０．０００４Ｎ／ｃｍ（１センチメートル当たり４０ダイン）未満の見かけ表面エネルギーを有する、態様３０に記載の身体部分を固定する方法。
４９．  前記疎水性層が、実質的な化合物で処理されている、態様３０に記載の身体部分を固定する方法。
５０．  前記実質的な化合物が、フッ素性化学物質、シリコーン、又は炭化水素から成る群から選択される、態様４９に記載の身体部分を固定する方法。
５１．  前記疎水性層が、本質的に疎水性繊維から製作されている、態様３０に記載の身体部分を固定する方法。
５２．  前記実質的な化合物が、疎水性層の０．２５〜２．５重量％の量で存在する、態様４９に記載の身体部分を固定する方法。
５３．  前記実質的な化合物が、皮膚に対して刺激がない、態様４９に記載の身体部分を固定する方法。
５４．  前記疎水性層が、約１５秒未満の多孔性を有する、態様３０に記載の身体部分を固定する方法。
５５．  前記疎水性層が、約１０秒未満の多孔性を有する、態様３０に記載の身体部分を固定する方法。
５６．  前記硬化性キャスティング材が、硬化させる化合物が浸透したウェブを含む、態様３０に記載の身体部分を固定する方法。
５７．  前記化合物がポリウレタンである、態様５６に記載の身体部分を固定する方法。
５８．  前記硬化化合物が、焼石膏である、態様５６に記載の身体部分を固定する方法。
５９．  親水性内側層と、前記親水性内側層に隣接して対向する表面を有し、約０．０００６Ｎ／ｃｍ（１センチメートル当たり６０ダイン）未満の見かけ表面エネルギーを有する疎水性外側層と、硬化性キャスティング材とを備える、整形キャストキット。
６０．  親水性内側層と、前記親水性内側層に隣接して対向する表面を有し、約０．０００６Ｎ／ｃｍ（１センチメートル当たり６０ダイン）未満の見かけ表面エネルギーを有する疎水性外側層とを備える、整形キャストキット。
以下の実施例は、発明を説明するために提供されており、決してそれを限定すると解釈されるべきではない。発明の範囲は、請求項により確定され、実施例又は本明細書での記載により確定されない。